(57)【要約】【課題】テレビ番組の再生地域又は再生日時に適した広告を提供すること。【解決手段】広告サーバ３２は、広告データを記憶する広告データ記憶部３２３と、テレビ２１によるテレビ番組データの再生地域及び再生日時のうち少なくとも一方を含む再生状況情報を取得する再生状況情報取得部３２１と、取得された再生状況情報に基づき、広告データ記憶部３２３に記憶される広告データの中から１又は複数の広告データを選択し、選択した１又は複数の広告データを、ゲートウェイ２２に対して送信する広告データ選択部３２２と、を含み、ゲートウェイ２２は、広告サーバ３２から１又は複数の広告データを受信する広告データ受信部２２２と、テレビ番組データの送信の際、その中に含まれる１又は複数の広告データを、広告データ受信部２２２により受信された１又は複数の広告データに置き換える置換部２２３と、を含む、ことを特徴とする。【選択図】図２
2008244961.tif 000002
【特許請求の範囲】
【請求項１】
テレビ番組再生出力装置に対してテレビ番組データを送信するテレビ番組データ送信装置と、広告サーバと、を含むテレビ番組データ再生制御システムであって、
前記広告サーバは、
広告データを記憶する広告データ記憶手段と、
前記テレビ番組再生出力装置による前記テレビ番組データの再生地域及び再生日時のうち少なくとも一方を含む再生状況情報を取得する再生状況情報取得手段と、
前記再生状況情報取得手段により取得された前記再生状況情報に基づき、前記広告データ記憶手段に記憶される広告データの中から１又は複数の広告データを選択し、選択した１又は複数の広告データを、前記テレビ番組データ送信装置に対して送信する広告データ選択手段と、
を含み、
前記テレビ番組データ送信装置は、
前記広告サーバから前記１又は複数の広告データを受信する広告データ受信手段と、
前記テレビ番組データの送信の際、その中に含まれる１又は複数の広告データを、前記広告データ受信手段により受信された前記１又は複数の広告データに置き換える置換手段と、
を含む、
ことを特徴とするテレビ番組データ再生制御システム。
【請求項２】
請求項１に記載のテレビ番組データ再生制御システムにおいて、
前記テレビ番組データ送信装置は、
録画されたテレビ番組データを取得して送信する録画テレビ番組データ送信装置からテレビ番組データを受信するテレビ番組データ受信手段、
を含み、
前記テレビ番組データ送信装置は、前記テレビ番組データ受信手段により受信されたテレビ番組データを、前記テレビ番組再生出力装置に対して送信する、
ことを特徴とするテレビ番組データ再生制御システム。
【請求項３】
テレビ番組再生出力装置に対してテレビ番組データを送信するテレビ番組データ送信装置であって、
広告サーバから１又は複数の広告データを受信する広告データ受信手段と、
テレビ番組データの送信の際、その中に含まれる１又は複数の広告データを、前記広告データ受信手段により受信された前記１又は複数の広告データに置き換える置換手段と、
を含むことを特徴とするテレビ番組データ送信装置。
【請求項４】
広告データを記憶する広告データ記憶手段と、
テレビ番組再生出力装置によるテレビ番組データの再生地域及び再生日時のうち少なくとも一方を含む再生状況情報を取得する再生状況情報取得手段と、
前記再生状況情報取得手段により取得された前記再生状況情報に基づき、前記広告データ記憶手段に記憶される広告データの中から１又は複数の広告データを選択し、選択した１又は複数の広告データを、テレビ番組データ送信装置に対して送信する広告データ選択手段と、
を含むことを特徴とする広告サーバ。
【請求項５】
テレビ番組再生出力装置に対してテレビ番組データを送信するテレビ番組データ送信装置と、広告サーバと、を用いて実行されるテレビ番組データ再生制御方法であって、
前記広告サーバが、
前記テレビ番組再生出力装置による前記テレビ番組データの再生地域及び再生日時のうち少なくとも一方を含む再生状況情報を取得する再生状況情報取得ステップと、
前記再生状況情報取得ステップにおいて取得された前記再生状況情報に基づき、広告データを記憶する広告データ記憶手段に記憶される広告データの中から１又は複数の広告データを選択し、選択した１又は複数の広告データを、前記テレビ番組データ送信装置に対して送信する広告データ選択ステップと、
を実行し、
前記テレビ番組データ送信装置が、
前記広告サーバから前記１又は複数の広告データを受信する広告データ受信ステップと、
前記テレビ番組データの送信の際、その中に含まれる１又は複数の広告データを、前記広告データ受信ステップにおいて受信された前記１又は複数の広告データに置き換える置換ステップと、
を実行する、
ことを特徴とするテレビ番組データ再生制御方法。
【請求項６】
コンピュータを、テレビ番組再生出力装置に対してテレビ番組データを送信するテレビ番組データ送信装置として機能させるためのプログラムであって、
テレビ番組データの送信の際、その中に含まれる１又は複数の広告データを、広告サーバから受信された１又は複数の広告データに置き換える置換手段、
として前記コンピュータをさらに機能させるためのプログラム。
【請求項７】
テレビ番組再生出力装置によるテレビ番組データの再生地域及び再生日時のうち少なくとも一方を含む再生状況情報を取得する再生状況情報取得手段、及び
前記再生状況情報取得手段により取得された前記再生状況情報に基づき、広告データを記憶する広告データ記憶手段に記憶される広告データの中から１又は複数の広告データを選択する広告データ選択手段、
としてコンピュータを機能させるためのプログラム。
【発明の詳細な説明】
【技術分野】
【０００１】
本発明は、テレビ番組データ再生制御システム、テレビ番組データ送信装置、広告サーバ、テレビ番組データ再生制御方法、及びプログラムに関する。
【背景技術】
【０００２】
近年、一般家庭において、ＨＤＤ(Hard Disk Drive)レコーダーや家電機器等とテレビとを宅内ネットワークを用いて接続し、ＨＤＤレコーダーや家電機器等の有する情報をテレビで視聴可能とするＤＬＮＡ(Digital Living Network Alliance)と呼ばれる規格が注目されている。ＤＬＮＡでは、ＨＤＤレコーダーや家電機器等の情報提供側をデジタルメディアサーバ（ＤＭＳ:Digital Media Server）と呼び、テレビをデジタルメディアプレーヤー（ＤＭＰ:Digital Media Player）と呼ぶので、本明細書においてもこれらの名称を用いることにする。
【０００３】
ＤＬＮＡにおいて、ＤＭＳは、コンテンツのタイトル一覧と、各コンテンツの内容と、を記憶している。ＤＭＰは、通信可能なＤＭＳを検索する機能を有し、検索されたＤＭＳからタイトル一覧を取得して表示する。ユーザがリモコン等の操作手段を用いて特定のタイトルを選択すると、ＤＭＰはそのタイトルに係るコンテンツをＤＭＳから取得し、再生出力する。
【０００４】
ところで、出願人は近年、ＤＬＮＡを外部ネットワークと接続しようという技術（Ｗ−ＤＬＮＡという。）を開発している（非特許文献１参照）。これによれば、外部のサーバと通信回線で接続されたＤＭＳ（Ｗ−ＤＬＮＡ宅内ゲートウェイ用モジュール）を宅内に用意する。このＤＭＳは、外部サーバが有するコンテンツのタイトル一覧を取得する。ＤＭＰは、このタイトル一覧を、宅内の他のＤＭＳが保持しているタイトル一覧と同様に取り扱い、ユーザに対して表示する。ユーザがこのタイトルの中の１つを選択すると、ＤＭＰは、選択されたコンテンツの取得をＤＭＳに要求する。ＤＭＳは、この要求を受けると外部サーバにコンテンツを取得しにいき、取得したものを、ＤＭＰに転送する。
【非特許文献１】株式会社ＫＤＤＩ研究所、「情報家電の広域利用技術（Ｗ−ＤＬＮＡ）の開発について」、［online］、２００６年１２月１９日、［平成１９年３月２６日検索］、インターネット〈URL：http://www.kddilabs.jp/pr_pdf/20061219DLNA.pdf〉
【発明の開示】
【発明が解決しようとする課題】
【０００５】
Ｗ−ＤＬＮＡの利用態様のひとつに、外部サーバを、他のユーザの宅内のＤＭＳとするものがある。以下、コンテンツを提供するＤＭＳをＤＭＳ−Ａ１、その持ち主であるユーザをユーザＡ、ユーザＡの宅内にあるＷ−ＤＬＮＡ宅内ゲートウェイ用モジュールをＤＭＰ−Ａ２ということにする。また、ユーザＡからコンテンツの提供を受けるＤＭＰをＤＭＰ−Ｂ、その持ち主であるユーザをユーザＢ、ユーザＢの宅内にあるＷ−ＤＬＮＡ宅内ゲートウェイ用モジュールをＤＭＳ−Ｂということにする。
【０００６】
ユーザＡは、ＤＭＳ−Ａ１内にあるコンテンツをユーザＢに対して提供するようＤＭＰ−Ａ２に指示入力する。すると、ＤＭＰ−Ａ２は、ＤＭＳ−Ａ１内にあるコンテンツのタイトル一覧を取得するとともに、ＤＭＳ−Ｂとの間でＳＩＰ(Session Initiation Protocol)セッションを確立し、ＤＭＳ−Ｂに対し、取得したタイトル一覧を送信する。ユーザＢは、ＤＭＰ−Ｂにおいて上記タイトル一覧を確認し、その中のひとつを選択する。すると、ＤＭＳ−Ｂは、ＤＭＰ−Ａ２を介してＤＭＳ−Ａ１から選択されたタイトルに係るコンテンツを取得し、ＤＭＰ−Ｂに転送する。ＤＭＰ−Ｂは、こうして転送されたコンテンツを再生出力する。
【０００７】
しかしながら、こうしてユーザＡ宅からユーザＢ宅へ転送されるコンテンツがテレビ番組の録画物である場合、その中に含まれる広告(ＣＭ:Commercial Message)に関し、次のような問題が発生する。
【０００８】
１つ目は地域の問題である。ユーザＡ宅とユーザＢ宅の位置する地域が異なっていると、ユーザＢ宅において、異なる地域の広告が視聴されてしまうことになる。これは企業の広告戦略上好ましいことではない。
【０００９】
２つ目は時間の問題である。ユーザＢ宅では、テレビ放送に遅れてコンテンツを視聴することになり、最早古くなってしまった広告を視聴することになる。これもやはり企業の広告戦略上好ましいことではない。なお、この問題については、ユーザＢが自分で録画したテレビ番組を後で視聴する際にも同じことが言える。
【００１０】
従って、本発明の課題の一つは、テレビ番組の再生地域に適した広告を提供することのできるテレビ番組データ再生制御システム、テレビ番組データ送信装置、広告サーバ、テレビ番組データ再生制御方法、及びプログラムを提供することにある。
【００１１】
また、他の課題の一つは、テレビ番組の視聴日時に適した広告を提供することのできるテレビ番組データ再生制御システム、テレビ番組データ送信装置、広告サーバ、テレビ番組データ再生制御方法、及びプログラムを提供することにある。
【課題を解決するための手段】
【００１２】
上記課題を解決するための本発明にかかるテレビ番組データ再生制御システムは、テレビ番組再生出力装置に対してテレビ番組データを送信するテレビ番組データ送信装置と、広告サーバと、を含むテレビ番組データ再生制御システムであって、前記広告サーバは、広告データを記憶する広告データ記憶手段と、前記テレビ番組再生出力装置による前記テレビ番組データの再生地域及び再生日時のうち少なくとも一方を含む再生状況情報を取得する再生状況情報取得手段と、前記再生状況情報取得手段により取得された前記再生状況情報に基づき、前記広告データ記憶手段に記憶される広告データの中から１又は複数の広告データを選択し、選択した１又は複数の広告データを、前記テレビ番組データ送信装置に対して送信する広告データ選択手段と、を含み、前記テレビ番組データ送信装置は、前記広告サーバから前記１又は複数の広告データを受信する広告データ受信手段と、前記テレビ番組データの送信の際、その中に含まれる１又は複数の広告データを、前記広告データ受信手段により受信された前記１又は複数の広告データに置き換える置換手段と、を含む、ことを特徴とする。
これによれば、テレビ番組再生出力装置の位置する地域に適した広告を提供することが可能になる。また、テレビ番組の視聴日時に適した広告を提供することも可能になる。
【００１３】
また、上記テレビ番組データ再生制御システムにおいて、前記テレビ番組データ送信装置は、録画されたテレビ番組データを取得して送信する録画テレビ番組データ送信装置からテレビ番組データを受信するテレビ番組データ受信手段、を含み、前記テレビ番組データ送信装置は、前記テレビ番組データ受信手段により受信されたテレビ番組データを、前記テレビ番組再生出力装置に対して送信する、ことを特徴とする。
これによれば、例えばユーザＡ宅で録画されたテレビ番組データをユーザＢ宅で再生する際に、その中の広告データを置き換えることができる。
【００１４】
また、本発明にかかるテレビ番組データ送信装置は、テレビ番組再生出力装置に対してテレビ番組データを送信するテレビ番組データ送信装置であって、広告サーバから１又は複数の広告データを受信する広告データ受信手段と、テレビ番組データの送信の際、その中に含まれる１又は複数の広告データを、前記広告データ受信手段により受信された前記１又は複数の広告データに置き換える置換手段と、を含むことを特徴とする。
【００１５】
また、本発明にかかる広告サーバは、広告データを記憶する広告データ記憶手段と、テレビ番組再生出力装置によるテレビ番組データの再生地域及び再生日時のうち少なくとも一方を含む再生状況情報を取得する再生状況情報取得手段と、前記再生状況情報取得手段により取得された前記再生状況情報に基づき、前記広告データ記憶手段に記憶される広告データの中から１又は複数の広告データを選択し、選択した１又は複数の広告データを、テレビ番組データ送信装置に対して送信する広告データ選択手段と、を含むことを特徴とする。
【００１６】
また、本発明にかかるテレビ番組データ再生制御方法は、テレビ番組再生出力装置に対してテレビ番組データを送信するテレビ番組データ送信装置と、広告サーバと、を用いて実行されるテレビ番組データ再生制御方法であって、前記広告サーバが、前記テレビ番組再生出力装置による前記テレビ番組データの再生地域及び再生日時のうち少なくとも一方を含む再生状況情報を取得する再生状況情報取得ステップと、前記再生状況情報取得ステップにおいて取得された前記再生状況情報に基づき、広告データを記憶する広告データ記憶手段に記憶される広告データの中から１又は複数の広告データを選択し、選択した１又は複数の広告データを、前記テレビ番組データ送信装置に対して送信する広告データ選択ステップと、を実行し、前記テレビ番組データ送信装置が、前記広告サーバから前記１又は複数の広告データを受信する広告データ受信ステップと、前記テレビ番組データの送信の際、その中に含まれる１又は複数の広告データを、前記広告データ受信ステップにおいて受信された前記１又は複数の広告データに置き換える置換ステップと、を実行する、ことを特徴とする。
【００１７】
また、本発明にかかるプログラムは、コンピュータを、テレビ番組再生出力装置に対してテレビ番組データを送信するテレビ番組データ送信装置として機能させるためのプログラムであって、テレビ番組データの送信の際、その中に含まれる１又は複数の広告データを、広告サーバから受信された１又は複数の広告データに置き換える置換手段、として前記コンピュータをさらに機能させるためのプログラムである。
【００１８】
また、本発明の別の一側面にかかるプログラムは、テレビ番組再生出力装置によるテレビ番組データの再生地域及び再生日時のうち少なくとも一方を含む再生状況情報を取得する再生状況情報取得手段、及び前記再生状況情報取得手段により取得された前記再生状況情報に基づき、広告データを記憶する広告データ記憶手段に記憶される広告データの中から１又は複数の広告データを選択する広告データ選択手段、としてコンピュータを機能させるためのプログラムである。
【発明を実施するための最良の形態】
【００１９】
本発明の実施の形態について、図面を参照しながら説明する。
【００２０】
図１は、本実施の形態にかかるテレビ番組データ再生制御システムを含むＷ−ＤＬＮＡシステム１のシステム構成図である。
同図に示すように、Ｗ−ＤＬＮＡシステム１は、ユーザＡ宅内に、ホームネットワーク１０と、それに接続されたＨＤＤレコーダー１１及びＷ−ＤＬＮＡ宅内ゲートウェイ用モジュール１２（以下、ゲートウェイ１２と称する。）を含み、ユーザＢ宅内に、ホームネットワーク２０と、それに接続されたテレビ２１及びＷ−ＤＬＮＡ宅内ゲートウェイ用モジュール２２（以下、ゲートウェイ２２と称する。）を含み、さらにインターネット３０と接続されたＳＩＰサーバ３１及び広告サーバ３２を含んで構成される。テレビ番組データ再生制御システムは、これらの構成のうちゲートウェイ２２及び広告サーバ３２を含んで構成される。なお、以下の説明では、ユーザＡ宅が名古屋にあり、ユーザＢ宅が東京にあるものとする。
【００２１】
まず、ユーザＡ宅内の各構成について説明する。ホームネットワーク１０は、ＬＡＮケーブル又は無線等の伝送媒体と、ハブやルータ等の接続デバイスとから構成される。
ＨＤＤレコーダー１１は、上述のＤＭＳとして機能するテレビ番組録画装置である。具体的には、テレビ番組を受信して録画する機能を備え、録画したテレビ番組のタイトルとその内容としての有限時間長の動画データ（より具体的にはＭＰＥＧデータ）であるテレビ番組データとを記憶している。ＨＤＤレコーダー１１は、ＤＭＰ（例えば、後述するゲートウェイ１２）がタイトル一覧を要求すると、記憶しているテレビ番組のタイトル一覧をＤＭＰに対して送信する。さらに、ＤＭＰにおいて、ユーザがタイトル一覧に含まれる各タイトルの中の１つを選択すると、選択されたタイトルにかかるテレビ番組データをＤＭＰに対して送信する。なお、本実施の形態では、ユーザによるタイトルの選択は、ＤＭＰとしてのゲートウェイ１２ではなく、やはりＤＭＰとしてのテレビ２１において行われる。その詳細については後述する。
【００２２】
ゲートウェイ１２は、上述のＤＭＰとして機能する録画テレビ番組データ送信装置である。なお、ゲートウェイ１２は、ブロードバンドルータやセットトップボックスにアプリケーションとして実装されるものである。
【００２３】
ゲートウェイ１２は、ホームネットワーク１０を介して、ＨＤＤレコーダー１１に録画されたテレビ番組データを取得する。また、インターネット３０と接続されており、ＨＤＤレコーダー１１から取得したテレビ番組データを、後述するゲートウェイ２２に対して送信する。
【００２４】
ゲートウェイ１２がテレビ番組データを送信する際の手順の詳細について説明する。ここでは、ゲートウェイ１２とゲートウェイ２２とが、ＳＩＰサーバ３１を利用してＳＩＰセッションを確立する例について説明する。まず、ゲートウェイ１２は、ユーザからテレビ番組データの送信先の識別情報（後述）の入力を受け付ける。そして、ＳＩＰサーバ３１に対して入力された識別情報を送信する。
【００２５】
ＳＩＰサーバ３１は、インターネット３０に接続される各装置について、識別情報とＩＰアドレスとを対応付けて記憶する。識別情報は、ＳＩＰサーバ３１が記憶しているＩＰアドレスごとに予め決定されるものであり、具体的な識別情報としては、例えば電話番号のような数値情報が用いることが好適である。
【００２６】
ＳＩＰサーバ３１は、ゲートウェイ１２から識別情報を受信すると、該識別情報と対応付けて記憶しているＩＰアドレスを返送する。ゲートウェイ１２は、返送されたＩＰアドレス、すなわちゲートウェイ２２との間で所定のネゴシエーション処理を行う。該ネゴシエーション処理が完了すると、ゲートウェイ１２とゲートウェイ２２の間で、ＳＩＰセッションが確立される。
【００２７】
ＳＩＰセッションが確立されると、ゲートウェイ１２はまず、ゲートウェイ２２に対してＨＤＤレコーダー１１から取得したタイトル一覧を送信する。このタイトル一覧を受信したゲートウェイ２２は、ユーザが選択したタイトルを示す選択タイトル情報を返信する（後述）。ゲートウェイ１２は、この選択タイトル情報を受信すると、該選択タイトル情報により示されるタイトルのテレビ番組データを取得し、ＳＩＰサーバ３１から返送された上記ＩＰアドレスを宛先として送信する。
【００２８】
次に、ユーザＢ宅内の各構成について説明する。ホームネットワーク２０は、ＬＡＮケーブル又は無線等の伝送媒体と、ハブやルータ等の接続デバイスとから構成される。
テレビ２１は、上述のＤＭＰとして機能するテレビ番組再生出力装置である。具体的には、テレビ２１は、通信可能なＤＭＳ（例えば、後述するゲートウェイ２２）を検索する機能を有し、検索されたＤＭＳに対してタイトル一覧の送信を要求する。この要求に応じてタイトル一覧が受信されると、受信されたタイトル一覧を、ブラウン管、液晶ディスプレイ、プラズマディスプレイ等の表示装置及びスピーカを用いて再生出力する。テレビ２１はリモコンを含む操作手段も含んで構成されており、ユーザがこの操作手段を用いて特定のタイトルを選択すると、そのタイトルを示す選択タイトル情報をＤＭＳに対して送信する。ＤＭＳが、この選択タイトル情報に応じてテレビ番組データを送信すると、テレビ２１はこれを受信し、上記表示装置及び上記スピーカを用いて再生出力する。
【００２９】
ゲートウェイ２２は、上記ＤＭＳとして機能するテレビ番組データ送信装置である。なお、ゲートウェイ２２は、ブロードバンドルータやセットトップボックスにアプリケーションとして実装されるものである。
【００３０】
ゲートウェイ２２は、ゲートウェイ１２からタイトル一覧を受信し、記憶する。そして、テレビ２１から要求があった場合に、テレビ２１に対して、記憶しているタイトル一覧を送信する。その結果としてテレビ２１から選択タイトル情報が受信されると、ゲートウェイ２２は、該選択タイトル情報をゲートウェイ１２に対して送信する。その結果、ゲートウェイ１２からテレビ番組データが受信されるので、ゲートウェイ２２は、受信したテレビ番組データをテレビ２１に送信する。このテレビ番組データは、テレビ２１により再生出力される。
【００３１】
さて、以上のようにしてユーザＡ宅で録画され、ユーザＢ宅のテレビ２１で再生出力されるテレビ番組データには、広告データが含まれる場合がある。本実施の形態では、この広告データを、ユーザＢ宅の位置する地域（再生地域）及びユーザＢが視聴する日時（再生日時）に適した広告データに置換する。以下、そのための構成について詳細に説明する。
【００３２】
図２は、Ｗ−ＤＬＮＡシステム１に含まれるテレビ番組データ再生制御システムの機能ブロックを示す概略ブロック図である。同図に示すように、ゲートウェイ２２は、テレビ番組データ受信部２２１、広告データ受信部２２２、再生制御部２２３を含んで構成される。なお、再生制御部２２３はその内部に置換部２２３０を含んで構成される。広告サーバ３２は、再生状況情報取得部３２１、広告データ選択部３２２、広告データ記憶部３２３を含んで構成される。
【００３３】
広告データ記憶部３２３は、多数の広告データを記憶する広告データ記憶手段として機能する。各広告データは、テレビ番組データと同様、有限時間長の動画データ（より具体的にはＭＰＥＧデータ）である。広告データ記憶部３２３は、各広告データを、その広告データが再生されるべき地域及び期間（年月日や時間帯によって特定される期間）と対応付けて記憶している。表１は、広告データ記憶部３２３の具体的な記憶例を示している。なお、広告データ記憶部３２３の記憶内容は、例えばテレビ局によって更新される。
【００３４】
【表１】
2008244961.tif 000003
【００３５】
再生状況情報取得部３２１は、テレビ２１によるテレビ番組の再生地域及び再生日時のうち少なくとも一方を含む再生状況情報を取得する再生状況情報取得手段として機能する。具体的な例では、ゲートウェイ２２の再生制御部２２３は、テレビ２１にテレビ番組データを送信する際、テレビ番組データごとに、ユーザＢ宅の位置する地域（東京）を示す地域情報と、そのときの現在時刻を示す現在時刻情報とを、広告サーバ３２に対して送信する。再生状況情報取得部３２１は、こうして送信された地域情報及び現在時刻情報を受信し、再生状況情報として取得する。
【００３６】
広告データ選択部３２２は、再生状況情報取得部３２１より取得された再生状況情報に基づき、広告データ記憶部３２３に記憶される広告データの中から１又は複数の広告データを選択する。具体的には、再生状況情報に含まれる地域情報と対応付けて記憶される広告データであって、かつ再生状況情報に含まれる現在時刻情報により示される現在時刻を含む期間と対応付けて記憶される１又は複数の広告データを選択する。なお、ここでは地域情報及び現在時刻情報の両方を用いる例について説明するが、一方のみを用いてもよいのは勿論である。広告データ選択部３２２は、選択した１又は複数の広告データをゲートウェイ２２に対して送信する。このように、広告データ選択部３２２は、広告データ選択手段として機能する。
【００３７】
テレビ番組データ受信部２２１は、ゲートウェイ１２からテレビ番組データを受信するテレビ番組データ受信手段として機能する。再生制御部２２３は、こうして取得されたテレビ番組データをテレビ２１に対して送信する。これらの処理の詳細は上述の通りである。再生制御部２２３はこのとき、上述したように、地域情報及び現在時刻情報を広告サーバ３２に対して送信する。
【００３８】
広告データ受信部２２２は、広告サーバ３２から１又は複数の広告データを受信する広告データ受信手段として機能する。広告データ受信部２２２は、受信した１又は複数の広告データを置換部２２３０に出力する。
【００３９】
置換部２２３０は、再生制御部２２３がテレビ番組データを送信する際、その中に含まれる１又は複数の広告データ（名古屋地域で過去に放映された広告データ）を、広告データ受信部２２２により受信された上記１又は複数の広告データ（東京地域で現在放映されるべき広告データ）に置き換える置換手段として機能する。具体的には、送信対象のテレビ番組データ内の広告データ部分を検出し、その部分を、広告データ受信部２２２により受信された上記１又は複数の広告データに置き換える。置換部２２３０がこのような置換を行った結果、テレビ２１では、置換後の広告データを含むテレビ番組データが再生出力されることになる。
【００４０】
図３は、テレビ番組データの一例を示す図である。同図に示すように、テレビ番組データは本編データ部分と、広告データ部分と、を交互に含んで構成されるデータである。置換部２２３０は、そのうち広告データ部分を検出し、広告データ受信部２２２により受信された上記１又は複数の広告データに置き換える。なお、広告データ部分の検出には、例えば本編データ部分と広告データ部分の音量差を利用することができる。この場合、置換部２２３０は、音量変化を検出することによって広告データ部分の検出を行う。
【００４１】
以上説明したように、上記テレビ番組データ再生制御システムによれば、ユーザＢ宅でテレビ番組を再生出力する際に、ユーザＢ宅の位置する地域（再生地域）に適した広告を提供することが可能になる。また、ユーザＢが視聴する日時（視聴日時）に適した広告を提供することも可能になる。
また、ユーザＡ宅で録画されたテレビ番組データをユーザＢ宅で再生する際に、その中の広告データを置き換えることも可能になる。
【００４２】
以上本発明の実施の形態について説明したが、本発明はこうした実施の形態に何等限定されるものではなく、本発明は、その要旨を逸脱しない範囲において、種々なる態様で実施され得ることは勿論である。
【００４３】
例えば、ゲートウェイ２２は、地域情報及び現在時刻情報を広告サーバ３２に対して送信する際、併せて再生しようとするテレビ番組のタイトル若しくは日本国内のテレビ番組を一意に識別可能なテレビ番組識別情報を送信することとしてもよい。そして、広告データ記憶部３２３は、広告データをテレビ番組のタイトル又はテレビ番組識別情報と対応付けて記憶し、広告データ選択部３２２は、受信されたテレビ番組のタイトル又はテレビ番組識別情報と対応付けて記憶される広告データを選択することとしてもよい。こうすれば、再生地域・再生日時だけでなく、テレビ番組の製作事情（スポンサー等）に応じた適切な広告データを、テレビ２１に再生出力させることができるようになる。
【００４４】
また、ゲートウェイ２２は、地域情報及び現在時刻情報を広告サーバ３２に対して送信する際、併せて再生しようとするテレビ番組データに含まれる広告データの時間長を示す広告時間長情報を送信することとしてもよい。そして、広告データ選択部３２２は、受信された時間長分の広告データを選択することとしてもよい。こうすれば、広告サーバ３２は、必要最低限の広告データのみをゲートウェイ２２に送信することができる。
【００４５】
また、本発明は、ユーザＡが録画したテレビ番組が後日ユーザＢに転送される場合だけでなく、ユーザＡがテレビ番組データを受信しながらリアルタイムでユーザＢに転送する、いわゆるストリーミング送信にも適用可能である。
【００４６】
また、上記各装置の機能を実現するためのプログラムをコンピュータ読み取り可能な記録媒体に記録して、この記録媒体に記録されたプログラムをコンピュータシステムに読み込ませ、実行することにより、上記各装置の処理を実現してもよい。
ここでいう「コンピュータシステム」とは、ＯＳや周辺機器等のハードウェアを含むものであってもよい。また、この「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
さらに、「コンピュータ読み取り可能な記録媒体」には、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
さらに、上記プログラムは、上述した各機能の一部を実現するためのものであってもよい。さらに、上述した各機能をコンピュータシステムにすでに記録されているプログラムとの組み合わせで実現できるもの、いわゆる差分ファイル（差分プログラム）であってもよい。
【図面の簡単な説明】
【００４７】
【図１】本発明の実施の形態にかかるＷ−ＤＬＮＡシステムのシステム構成図である。
【図２】本発明の実施の形態にかかるＷ−ＤＬＮＡシステムに含まれるテレビ番組データ再生制御システムの機能ブロックを示す概略ブロック図である。
【図３】本発明の実施の形態にかかるテレビ番組データの一例を示す図である。
【符号の説明】
【００４８】
１  Ｗ−ＤＬＮＡシステム、
１０  ホームネットワーク、
１１  ＨＤＤレコーダー、
１２  Ｗ−ＤＬＮＡ宅内ゲートウェイ用モジュール（ゲートウェイ）、
２０  ホームネットワーク、
２１  テレビ、
２２  Ｗ−ＤＬＮＡ宅内ゲートウェイ用モジュール（ゲートウェイ）、
３０  インターネット、
３１  ＳＩＰサーバ、
３２  広告サーバ、
２２１  テレビ番組データ受信部、
２２２  広告データ受信部、
２２３  再生制御部、
３２１  再生状況情報取得部、
３２２  広告データ選択部、
３２３  広告データ記憶部、
２２３０  置換部。
【図１】
2008244961.tif 000004
【図２】
2008244961.tif 000005
【図３】
2008244961.tif 000006